(57)【要約】【課題】  本発明では、転送速度の向上を図ることができ、かつ、安価なディスクシステムおよびリムーバブルディスクを提供することを目的とする。【解決手段】  ディスクシステムは、三枚の磁気ディスク２１を有するリムーバブルディスク２と、リムーバブルディスク２が着脱自在に取り付けられ、かつ、リムーバブルディスク２の磁気ディスク２１へデータを記録・再生するＰＣカードと、を備えている。そして、リムーバブルディスク２は、三枚の磁気ディスク２１を一体に連結する回転体２２を備え、ＰＣカードは、リムーバブルディスク２の各磁気ディスク２１に対応して設けられる三つの磁気ヘッド３３と、三つの磁気ヘッド３３をそれぞれ別々に移動させる回動機構３４と、回転体２２を回転させるドライブスピンドルと、を備えている。【選択図】      図３
2005293675.tif 000002
【特許請求の範囲】
【請求項１】
ケース内にディスクを有するリムーバブルディスクと、
前記リムーバブルディスクが着脱自在に取り付けられ、かつ、前記リムーバブルディスクの前記ディスクへデータを記録・再生する記録再生装置と、を備えたディスクシステムであって、
前記リムーバブルディスクは、
前記ディスクを複数備えるとともに、複数のディスクを一体に連結する回転体を備え、
前記記録再生装置は、
前記リムーバブルディスクの各ディスクに対応して設けられる複数のヘッドと、
前記複数のヘッドをそれぞれ別々に移動させる移動機構と、
前記回転体を回転させる回転駆動装置と、を備えることを特徴とするディスクシステム。
【請求項２】
複数のヘッドをそれぞれ別々に移動させる移動機構を備えた記録再生装置によって記録・再生される複数のディスクと、
前記複数のディスクを一体に連結する回転体と、
前記複数のディスクおよび前記回転体を収容するケースと、を備えることを特徴とするリムーバブルディスク。
【請求項３】
請求項２に記載のリムーバブルディスクであって、
前記ケースに、前記各ディスクの撓みを規制する規制ガイドを設けたことを特徴とするリムーバブルディスク。
【発明の詳細な説明】
【技術分野】
【０００１】
本発明は、磁気ディスクを複数備えるディスクシステムに関する。
【背景技術】
【０００２】
近年、ハードディスクドライブとしては、記憶容量を増大させるために、一つのケース内に複数の磁気ディスクをその回転軸方向に並ぶように設けたものが知られている。そして、このようなハードディスクドライブでは、一般に、複数の磁気ディスクを一体に回転させる機構や、各磁気ディスクに対応して設けた磁気ヘッドを一体に回動させる機構を備えている。
【０００３】
しかし、前記の構造では、複数の磁気ヘッドが一体に回動するため、各磁気ディスクに対して磁気ヘッドを同時にトラッキングさせることができず、転送速度の向上が図れなかった。そのため、このような問題に対する技術として、従来、各磁気ヘッドをそれぞれ別々に回動させる技術が開示されている（特許文献１参照）。この技術によれば、各磁気ディスクに対して各磁気ヘッドを同時にトラッキングさせることができるので、転送速度の向上を図ることができる。
【０００４】
【特許文献１】特開２００２−１００１２８号公報（段落００１６〜００１８、図１）
【発明の開示】
【発明が解決しようとする課題】
【０００５】
しかしながら、前記の技術では、ハードディスクドライブごとに、各磁気ヘッドを別々に動かすためのアクチュエータを複数設けなければならないので、装置全体が高価になるといった問題があった。すなわち、ユーザが複数のハードディスクドライブを所望する場合に、一台のハードディスクドライブの料金に複数のアクチュエータ分の部品代も含まれることになるので、ユーザにとっては大きな負担となっていた。
【０００６】
そこで、本発明では、転送速度の向上を図ることができ、かつ、安価なディスクシステムおよびリムーバブルディスクを提供することを目的とする。
【課題を解決するための手段】
【０００７】
前記課題を解決する本発明のうち請求項１に記載の発明は、ケース内にディスクを有するリムーバブルディスクと、前記リムーバブルディスクが着脱自在に取り付けられ、かつ、前記リムーバブルディスクの前記ディスクへデータを記録・再生する記録再生装置と、を備えたディスクシステムであって、前記リムーバブルディスクは、前記ディスクを複数備えるとともに、複数のディスクを一体に連結する回転体を備え、前記記録再生装置は、前記リムーバブルディスクの各ディスクに対応して設けられる複数のヘッドと、前記複数のヘッドをそれぞれ別々に移動させる移動機構と、前記回転体を回転させる回転駆動装置と、を備えることを特徴とする。
【０００８】
請求項１に記載の発明によれば、記録再生装置にリムーバブルディスクを取り付けると、リムーバブルディスク内の各ディスクが、記録再生装置側に設けた別々に動く各ヘッドによってそれぞれトラッキングされるので、転送速度の向上を図ることができる。また、一つの記録再生装置のみに複数のヘッドをそれぞれ別々に動かすための移動機構を設ければよいので、リムーバブルディスクには複数のディスクや、これらを一体に回転させる回転体だけを設ければよいことになる。そのため、従来のようにハードディスクドライブごとに各ヘッドを動かすためアクチュエータを複数設ける必要がなくなるので、ディスクシステム全体としては安価になる。
【０００９】
請求項２に記載の発明（リムーバブルディスク）は、複数のヘッドをそれぞれ別々に移動させる移動機構を備えた記録再生装置によって記録・再生される複数のディスクと、前記複数のディスクを一体に連結する回転体と、前記複数のディスクおよび前記回転体を収容するケースと、を備えることを特徴とする。
【００１０】
請求項２に記載の発明によれば、請求項１に記載の発明と同様の効果、すなわち、転送速度の向上を図ることができ、かつ、システム全体を安価にすることができるといった効果を得ることができる。
【００１１】
請求項３に記載の発明は、請求項２に記載のリムーバブルディスクであって、前記ケースに、前記各ディスクの撓みを規制する規制ガイドを設けたことを特徴とする。
【００１２】
請求項３に記載の発明によれば、各ディスクの撓みが規制ガイドで規制されるので、例えば複数のディスクを回転軸方向に並べて配設した場合において、ヘッドを二つのディスクの間に挿入する際に上側のディスクが撓むことによって生じるディスク外縁とヘッドとの干渉が防止されることとなる。
【発明の効果】
【００１３】
請求項１および請求項２に記載の発明によれば、一つの記録再生装置のみに複数のヘッドをそれぞれ別々に動かすための移動機構が設けられるので、転送速度の向上を図ることができ、かつ、システム全体を安価にすることができる。
【００１４】
請求項３に記載の発明によれば、各ディスクの撓みが規制ガイドで規制されるので、例えば上下に並べた二つのディスクの間にヘッドを挿入する際に上側のディスクが撓むことによって生じるディスク外縁とヘッドとの干渉を防止することができる。
【発明を実施するための最良の形態】
【００１５】
次に、本発明の実施形態について、適宜図面を参照しながら詳細に説明する。参照する図面において、図１は本実施形態に係るディスクシステムを示す分解斜視図であり、図２は図１のリムーバブルディスクを下側から見た状態を示す分解斜視図である。また、図３は図２のＡ−Ａ断面図であり、図４はＰＣカード内にリムーバブルディスクを完全に挿入する前のシャッタの状態を示す断面図（ａ）と、完全に挿入した後のシャッタの状態を示す断面図（ｂ）である。
【００１６】
図１に示すように、ディスクシステムＳは、ノート型のパソコン１と、リムーバブルディスク２と、ＰＣカード３とで主に構成されている。パソコン１には、その側部にＰＣカード３を着脱自在に取り付けるためのスロット１１が設けられている。なお、パソコン１は、キーボード（操作手段）、モニタ（表示手段）、ＣＰＵ（中央処理装置）、ハードディスク（記憶手段）などを有する周知の機器である。また、本実施形態に係るパソコン１およびＰＣカード３は、特許請求の範囲にいう「記録再生装置」に相当する。
【００１７】
図２に示すように、リムーバブルディスク２は、三枚の磁気ディスク２１と、これらの磁気ディスク２１を一体に連結する回転体２２と、磁気ディスク２１および回転体２２を収容するケースとしてのシェル２３およびシャッタ２４とで主に構成されている。
【００１８】
磁気ディスク２１は、ポリエチレンテレフタレート（ＰＥＴ）等からなる可撓性支持体の両面に磁性体層が形成された、いわゆるフレキシブルディスクであり、その中央部と外周縁部がそれぞれ非記録領域２１ａ，２１ｂとされ、これらの領域を除く円環状に記録領域２１ｃが設定されている。なお、図２では磁気ディスク２１の裏側（下側）を示しているが、実際には、記録領域２１ｃは表側（上側）に設定されている。また、中央部の非記録領域２１ａには、円形の取付孔２１ｄ（図３参照）が形成されている。
【００１９】
図３に示すように、回転体２２は、三枚の磁気ディスク２１を一体に連結させるものであり、主に、センタコア２２Ａと、二つのスペーサ２２Ｂと、ディスク係止部材２２Ｃとで構成されている。センタコア２２Ａは、ＰＣカード３に内蔵されるドライブスピンドル３２（図４（ａ）参照）によって磁気的に吸着されることで、このドライブスピンドル３２とともに回転する部材（磁性体）であり、その中央部には、ディスク係止部材２２Ｃが嵌合するための嵌合孔２２ａが形成されている。
【００２０】
スペーサ２２Ｂは、三枚の磁気ディスク２１をそれぞれ所定の間隔を空けて保持するためのリング状の部材である。
【００２１】
ディスク係止部材２２Ｃは、筒状に形成される筒部２２ｂと、この筒部２２ｂの上端から外方へ延出するように形成されるフランジ部２２ｄとを有している。そして、このディスク係止部材２２Ｃは、その筒部２２ｂがセンタコア２２Ａの嵌合孔２２ａに嵌合されることで、そのフランジ部２２ｄとセンタコア２２Ａとで三枚の磁気ディスク２１と二つのスペーサ２２Ｂを挟み込んで一体に支持する構造となっている。
【００２２】
図２に示すように、シェル２３は、有底筒状に形成される金属製の上シェル２３Ａと下シェル２３Ｂとで構成されており、これらの上シェル２３Ａと下シェル２３Ｂには、ＰＣカード３が備えている磁気ヘッド３３（図４参照）を磁気ディスク２１にアクセスさせるための開口部２３ａが形成されている。また、シェル２３は、その一方が円弧状に形成され、他方が直線状に形成されており、その円弧状の部分をＰＣカード３（図１参照）側に向けてＰＣカード３内に差し込まれるようになっている。なお、以下の説明においては、シェル２３の円弧状の部分側を前方とし、その反対側を後方として説明することとする。
【００２３】
上シェル２３Ａの中央部には、図３で詳細に示すように、バーリング加工によって下シェル２３Ｂ側に向かって突出するように軸筒２３ｂが形成され、この軸筒２３ｂの先端には、後記する上シャッタ２４Ａの抜け止めとなる円柱状の係止部材２３Ｃが接合されている。
【００２４】
また、図２に示すように、下シェル２３Ｂの底部２３ｄには、その中央部に前記したセンタコア２２Ａを外部に露出させるための円形の露出孔２３ｅが形成され、その外側部分の適所に露出孔２３ｅを中心とした円弧状（シャッタ２４の回動軌跡に沿った形状）の溝部２３ｆが形成されている。なお、下シェル２３Ｂは、三枚の磁気ディスク２１を収容するために、上シェル２３Ａよりも深めに形成されている。
【００２５】
シャッタ２４は、前記した係止部材２３Ｃを中心に回動するロータリー式のシャッタであり、主に、上シェル２３Ａに内装される有底円筒状の上シャッタ２４Ａと、下シェル２３Ｂに内装される有底円筒状の下シャッタ２４Ｂとで構成されている。上シャッタ２４Ａおよび下シャッタ２４Ｂには、シェル２３に形成される開口部２３ａと略同様の開口部２４ａ（上シャッタ２４Ａ側のみ図示）が形成されている。
【００２６】
下シャッタ２４Ｂには、下シェル２３Ｂの溝部２３ｆに摺動自在に係合する開閉用突起２４ｂが設けられており、この開閉用突起２４ｂは、図示せぬスプリング（弾性部材）によって常時溝部２３ｆの前端に押し付けられている。そして、この開閉用突起２４ｂが溝部２３ｆの前端に位置するとき（非使用時）には、シャッタ２４に形成された開口部２４ａがシェル２３によって覆われた状態となり、開閉用突起２４ｂが溝部２３ｆの後端まで移動したとき（使用時）は、シャッタ２４の開口部２４ａとシェル２３の開口部２３ａとが一致して、内部の磁気ディスク２１が外部に露出することとなる。
【００２７】
また、図３に示すように、下シャッタ２４Ｂの側部２４ｃには、上側に位置する二枚の磁気ディスク２１の撓みを規制するための規制ガイド２４ｄが内側に向かって突設されている。なお、この規制ガイド２４ｄは、少なくとも開口部２４ａ（図４参照）の両側の一部分に形成されていればよい。このように規制ガイド２４ｄを形成することにより、開口部２４ａから露出する磁気ディスク２１の外縁の位置が規制ガイド２４ｄで支持している位置と略同じ位置となる。また、規制ガイド２４ｄの高さ方向の位置は、磁気ディスク２１が撓まずに水平となっているとき（回転時）の外縁の位置よりも下方に設定するのが望ましい。これによれば、磁気ディスク２１が回転しているときは、その外縁と規制ガイド２４ｄが摺接しないので、外縁の損傷を防止することができる。
【００２８】
図１に示すように、ＰＣカード３は、その側部にリムーバブルディスク２を着脱自在に取り付けるためのスロット３１ａが形成された収容ボックス３１と、図４（ａ）に示すドライブスピンドル３２、磁気ヘッド３３および回動機構３４とで主に構成されている。なお、ドライブスピンドル３２、磁気ヘッド３３および回動機構３４は、ＰＣカード３がパソコン１にセットされることによってパソコン１のＣＰＵに接続されるように構成されており、これにより、ドライブスピンドル３２の駆動制御、磁気ヘッド３３への電流制御、回動機構３４の駆動制御が、パソコン１のＣＰＵで行われるようになっている。
【００２９】
ドライブスピンドル（回転駆動装置）３２は、リムーバブルディスク２の回転体２２（図３参照）を回転させる装置であり、回転体２２のセンタコア２２Ａを磁気的に吸着するための図示せぬマグネットを有する把持部や、把持部を回転させるモータなどで構成されている。
【００３０】
磁気ヘッド３３は、三枚の磁気ディスク２１に対応するように上下方向に三つ並べられた状態で配設されている（図３参照）。そして、各磁気ヘッド３３は、回動機構３４によって磁気ディスク２１の径方向と略平行に移動することで、各磁気ディスク２１の上面をトレースするように構成されている。
【００３１】
回動機構（移動機構）３４は、磁気ヘッド３３を支持するための三つのアーム３４Ａ（図３参照）と、各アーム３４Ａをそれぞれ別々に回動させるための駆動部３４Ｂとで主に構成されている。なお、各アーム３４Ａを別々に回動させる構造は任意に選択できるが、一例を示すと、各アーム３４Ａの基端部（磁気ヘッド３３の反対側）に永久磁石を設け、その基端部近傍の駆動部３４Ｂ側に鉄心とコイルとで構成される電磁石を複数配設するリニアモータの構造を採用することができる。これによれば、各電磁石のコイルに適宜プラスまたはマイナスの電流を供給・停止させることで各アーム３４Ａの回動・停止を切り替えることができるとともに、各アーム３４Ａの回動方向を変えることができる。
【００３２】
次に、パソコン１へのＰＣカード３の取付方法およびＰＣカード３へのリムーバブルディスク２の取付方法について説明する。
図１に示すように、まず、パソコン１のスロット１１にＰＣカード３を挿入し、その後ＰＣカード３のスロット３１ａにリムーバブルディスク２を挿入する。なお、このリムーバブルディスク２の挿入の際は、図４（ａ）に示すように、ＰＣカード３の収容ボックス３１の開口端部にシャッタ２４の開閉用突起２４ｂが当接することによって、この開閉用突起２４ｂがリムーバブルディスク２の挿入に伴ってリムーバブルディスク２に対して相対的に後方へ移動し、シャッタ２４が回動することとなる。そして、図４（ｂ）に示すように、開閉用突起２４ｂが溝部２３ｆの後端まで移動すると、シャッタ２４の開口部２４ａがシェル２３の開口部２３ａと一致して、内部の磁気ディスク２１がＰＣカード３内に露出することとなる。
【００３３】
続いて、ＰＣカード３内の磁気ヘッド３３の動作について説明する。
例えば三枚の磁気ディスク２１に同時にデータを書き込むために各磁気ヘッド３３を各磁気ディスク２１の所定位置に移動させるような命令がパソコン１（図１参照）のＣＰＵから回動機構３４に送られてくると、この回動機構３４は、各アーム３４Ａをそれぞれ所定量だけ回動させて、各磁気ヘッド３３を磁気ディスク２１上の所定位置に移動させる。このとき、図３に示すように、上側の二枚の磁気ディスク２１が下シャッタ２４Ｂの規制ガイド２４ｄで支持されることによって、図の奥から手前側へ向かって移動してくる各磁気ヘッド３３および各アーム３４Ａは、磁気ディスク２１の外縁とぶつかることなく所定位置まで良好に移動することとなる。
【００３４】
このように各磁気ヘッド３３を各磁気ディスク２１上に位置させた後は、前記ＣＰＵによってドライブスピンドル３２（図４参照）を回転させるとともに、各磁気ヘッド３３に所定のパルス信号を送ることで、各磁気ディスク２１に同時にデータが書き込まれることとなる。なお、ドライブスピンドル３２で回転される各磁気ディスク２１は、遠心力によって撓んでいた外縁が持ち上がり、その上面が略水平となるため、各磁気ディスク２１と各磁気ヘッド３３とが良好に摺接することとなる。
【００３５】
なお、本実施形態では三枚の磁気ディスク２１に同時にデータを書き込む例を示したが、本発明はこれに限定されるものではない。例えば、パソコン１にレイドの機能を持たせる（パソコン１のハードディスクにレイドの機能をインストールする）ことにより、様々なレイドレベルで各磁気ディスク２１に各磁気ヘッド３３をアクセスさせるようにしてもよい。ここで、「レイド（ＲＡＩＤ：Redundant Arrays of Inexpensive Disks）」とは、複数台の独立したハードディスク（本実施形態の三枚の磁気ディスク２１に相当）を並列に並べて、一台のディスク装置のごとく使用することで、データの読み書きを高速化したり、障害に対して耐久性を向上させたりする技術をいう。また、「レイドレベル」とは、レイドを機能によって種別化したものであり、レイド０からレイド５までの６段階がある。
【００３６】
各レイドレベルについて簡単に説明すると、レイド０は、複数のディスクに均等にデータを振り分け、同時並行で記録することで、データの読み書きを高速化する方式である。レイド１は、２台のディスクにまったく同じデータを同時に書きこむ方式であり、これによれば、片方が破損しても、もう一方からデータを読み出せるのでシステムは問題無く稼動を続けることができる。
【００３７】
レイド２は、ハミングコードと呼ばれる誤り訂正符号を生成し、データとともに分散して記録する方式である。レイド３は、複数あるディスクのうち1台をパリティと呼ばれる誤り訂正符号の記録に割り当て、他のディスクにデータを分散して記録する方式である。これによれば、どれか1台が故障しても交換してデータを復旧することができ、また、他のディスクにはデータを分散して同時並行で記録するため、高速化も図られる。
【００３８】
レイド４は、複数あるディスクのうち1台をパリティと呼ばれる誤り訂正符号の記録に割り当て、他のディスクにデータを分散して記録する方式である点でレイド３と同様であるが、データの分散をビット単位ではなくブロック単位で行なう点で異なっている。レイド５は、データからパリティと呼ばれる誤り訂正符号を生成し、データとともに分散して記録する方式であり、データだけでなくパリティも分散することで、レイド４よりも性能の向上が期待できる方式である。
【００３９】
以上によれば、本実施形態において、次のような効果を得ることができる。
一つのＰＣカード３のみに複数の磁気ヘッド３３をそれぞれ別々に動かすための回動機構３４を設けることで、リムーバブルディスク２側にはそのような機構を設ける必要がないので、転送速度の向上を図ることができ、かつ、システム全体を安価にすることができる。すなわち、ユーザは、一つのＰＣカード３を一回購入しておくだけで、その後は回動機構３４分の部品代が含まれていない安価なリムーバブルディスク２を購入すればよいので、ユーザにかかる負担が軽減されることになる。
【００４０】
各磁気ディスク２１の撓みが規制ガイド２４ｄで規制されるので、磁気ヘッド３３を二つの磁気ディスク２１の間に挿入する際に上側の磁気ディスク２１が撓むことによって生じる磁気ディスク２１の外縁と磁気ヘッド３３との干渉を防止することができる。
【００４１】
また、本実施形態では、リムーバブルディスク２の開口部２３ａから侵入する塵埃の影響によりエラーの増加が懸念されるが、この問題は、本実施形態の後段で説明したように、パソコン１にレイドの機能を持たせて冗長性を高めることによって解決できる。
【００４２】
なお、本発明は、前記実施形態に限定されることなく、様々な形態で実施される。
本実施形態では、磁気ディスク２１をフレキシブルディスクとしたが、本発明はこれに限定されず、ハードディスクであってもよい。この場合、本実施形態のような規制ガイド２４ｄはいらないが、フレキシブルディスクの方が安価であるため、本実施形態のような構造にするのが望ましい。また、フレキシブルディスクとハードディスクを一つのリムーバブルディスク２の中に混在させてもいい。この場合は、記録密度が高いハードディスクをレイド４におけるパリティ専用ディスクとして利用することが望ましい。
【００４３】
本実施形態では、磁気ディスク２１の数を三枚としたが、本発明はこれに限定されず、いくつであってもよい。
本実施形態では、磁気ディスク２１の回転前に磁気ヘッド３３をリムーバブルディスク２内に移動させたが、本発明はこれに限定されず、磁気ディスク２１の回転後に磁気ヘッド３３を移動させてもよい。これによれば、磁気ディスク２１と磁気ヘッド３３との干渉を、より確実に防止することができる。
【００４４】
本実施形態では、磁気ディスク２１を記録・再生するためのドライブスピンドル３２、磁気ヘッド３３および回動機構３４をＰＣカード３に設けたが、本発明はこれに限定されず、例えばパソコン１の内部に各機器３２〜３４を設けるようにしてもよい。
本実施形態では、ケースの一部としてのシャッタ２４に規制ガイド２４ｄを設けたが、本発明はこれに限定されず、例えばシャッタがシェルの外側を摺動する構造の場合は、シェルの内側に規制ガイドを設ければよい。
【００４５】
本実施形態では、磁気ディスク２１の片面のみに記録・再生する方式としたが、本発明はこれに限定されず、図５に示すような磁気ディスク４１の両面に記録・再生する方式としてもよい。以下に、図５の構造を具体的に説明する。
【００４６】
リムーバブルディスクは、三枚の磁気ディスク４１と、これらの磁気ディスク４１を一体に連結する回転体４２と、磁気ディスク４１および回転体４２を収容するケースとしてのシェル４４およびシャッタ４３とで主に構成されている。
【００４７】
磁気ディスク４１は、その両面に記録・再生が可能な磁性層が形成されている。
回転体４２は、前記実施形態と略同様となるセンタコア２２Ａ、スペーサ２２Ｂ、ディスク係止部材２２Ｃを備えている。
【００４８】
シェル４４は、前記実施形態と略同様の構造となるが、その下シェル４４Ｂが前記実施形態よりも深めに形成されることにより、全体的に厚くなった形状となっている。また、下シェル４４Ｂの側部４４ａの適所には、各磁気ディスク４１を挟み込むように配設される四枚の仕切り板４２Ｄが一体に形成されている。さらに、各仕切り板４２Ｄの磁気ディスク４１側には、ライナ４２Ｅが貼り付けられている。ここで、ライナ４２Ｅは、除塵のための不織布である。
【００４９】
なお、図５に示す形態では、下シェル４４Ｂを深めに形成することで四枚の仕切り板４２Ｄの全てを下シェル４４Ｂに形成したが、本発明はこれに限定されず、上シェル４４Ａを深めに形成し、この上シェル４４Ａに全ての仕切り板４２Ｄを形成してもよいし、また、両方のシェル４４Ａ，４４Ｂを深めに形成し、これらのシェル４４Ａ，４４Ｂに適宜四枚の仕切り板４２Ｄを振り分けて形成してもよい。
【００５０】
シャッタ４３は、前記実施形態と略同様の構造となるが、その下シャッタ４３Ｂが前記実施形態よりも深めに形成されることにより、全体的に厚くなった形状となっている。また、下シャッタ４３Ｂの側部４３ａには、三枚の磁気ディスク４１の撓みを規制するための三つの規制ガイド４３ｂが形成されている。なお、シャッタ４３は、前記したシェル４４から内方に突出するように形成される各仕切り板４２Ｄと干渉しない構造となっている。
【００５１】
なお、図５に示す形態では、下シャッタ４３Ｂを深めに形成することで三つの規制ガイド４３ｂの全てを下シャッタ４３Ｂに形成したが、本発明はこれに限定されず、上シャッタ４３Ａを深めに形成し、この上シャッタ４３Ａに全ての規制ガイド４３ｂを形成してもよいし、また、両方のシャッタ４３Ａ，４３Ｂを深めに形成し、これらのシャッタ４３Ａ，４３Ｂに適宜三つの規制ガイド４３ｂを振り分けて形成してもよい。
【００５２】
また、回動機構５は、各磁気ディスク４１を挟み込むようにして上下一対に配設される二つの磁気ヘッド５１を支持するための一対のアーム５２を三組設ける構造となっており、各アーム５２はそれぞれ独立して回動されるように構成されている。
【００５３】
以上のような構造によれば、上下一対の磁気ヘッド５１で一枚の磁気ディスク４１に記録・再生する形態においても本発明を利用することができる。
【図面の簡単な説明】
【００５４】
【図１】本実施形態に係るディスクシステムを示す分解斜視図である。
【図２】図１のリムーバブルディスクを下側から見た状態を示す分解斜視図である。
【図３】図２のＡ−Ａ断面図である。
【図４】ＰＣカード内にリムーバブルディスクを完全に挿入する前のシャッタの状態を示す断面図（ａ）と、完全に挿入した後のシャッタの状態を示す断面図（ｂ）である。
【図５】他の実施形態に係るリムーバブルディスクを示す断面図である。
【符号の説明】
【００５５】
１      パソコン
２      リムーバブルディスク
２１    磁気ディスク
２２    回転体
２２Ａ  センタコア
２２Ｂ  スペーサ
２２Ｃ  ディスク係止部材
２３    シェル
２３ａ  開口部
２４    シャッタ
２４ａ  開口部
２４ｄ  規制ガイド
３      ＰＣカード
３２    ドライブスピンドル
３３    磁気ヘッド
３４    回動機構
３４Ａ  アーム
３４Ｂ  駆動部
Ｓ      ディスクシステム
【図１】
2005293675.tif 000003
【図２】
2005293675.tif 000004
【図３】
2005293675.tif 000005
【図４】
2005293675.tif 000006
【図５】
2005293675.tif 000007